(57)【要約】【課題】大型化や大幅なコストアップを招くことなく、動圧発生力を高めることができる密封与圧形気体動圧軸受装置を提供する。【解決手段】ケース内に固定された固定部材２と、その固定部材２に回転可能に支持される回転体５とを有し、前記固定部材２と前記回転体５との間の気体に動圧を発生させて回転体５を回転させる気体動圧軸受装置であって、前記ケースが、密封ケース１であり、この密封ケース１内が加圧されていることにより、上記課題を解決した。このとき、前記密封ケース１内の圧力が、２×１０５〜１×１０６Ｎ／ｍ２であることが好ましい。【選択図】        図１
2004308818.tif 000002
【特許請求の範囲】
【請求項１】
ケース内に固定された固定部材と、その固定部材に回転可能に支持される回転体とを有し、前記固定部材と前記回転体との間の気体に動圧を発生させて回転体を回転させる気体動圧軸受装置であって、
前記ケースが、密封ケースであり、該密封ケース内が加圧されていることを特徴とする密封与圧形気体動圧軸受装置。
【請求項２】
前記密封ケース内の圧力が、２×１０５〜１×１０６Ｎ／ｍ２である請求項１に記載の密封与圧形気体動圧軸受装置。
【請求項３】
請求項１又は２に記載の密封与圧形気体動圧軸受装置によって、情報信号等の記録再生を行うディスク状の記録媒体が回転可能に支持されていることを特徴とするハードディスク装置。
【請求項４】
ケース内に固定された固定部材に気体動圧軸受を介して回転可能に支持されていると共に情報信号等の記録再生を行うディスク状の記録媒体が取り付けられている回転体を有するハードディスクと、そのハードディスクが着脱自在に装着され、装着されたハードディスクと電気的に接続されると共にパーソナルコンピューター等に取り付けられる取付体と、を備えたリムーバブルハードディスク装置であって、
前記ケースが、密封ケースであり、前記回転体に、該回転体を回転駆動させるための回転駆動部のマグネットが設けられ、かつ、前記取付体に、所定の電圧が印可されて前記取付体に装着されたハードディスクのマグネットを介して回転体を回転させるモーターコイルを設けたことを特徴とするリムーバブルハードディスク装置。
【請求項５】
前記密封ケース内が加圧され、該密封ケースの一部に、円柱状の凹部が設けられ、該凹部の内壁近傍に、その周方向に沿って前記マグネットが配設され、かつ、前記取付体に、前記凹部に嵌合されると共に前記モーターコイルが配設されている凸部が設けられている請求項４に記載のリムーバブルハードディスク装置。
【発明の詳細な説明】
【０００１】
【発明の属する技術分野】
本発明は、動圧発生力を高めることができる密封与圧形気体動圧軸受装置、その装置を用いたハードディスク装置及びリムーバブルハードディスク装置に関するものである。
【０００２】
【従来の技術】
ハードディスクドライブ（ＨＤＤ）等のハードディスク装置やジャイロは、例えば情報信号等の記録再生を行うディスク状の記録媒体ディスクの回転体を高速でかつ安定して回転させることが要求されている。特に近年ＨＤＤは、回転体である磁気ディスクをより高速に回転させることが要求されており、気体動圧軸受装置を用いて磁気ディスクを回転させることが提案されている（例えば特許文献１，２，３）。
【０００３】
気体動圧軸受装置は、回転することにより周囲の流体を巻き込み、動圧発生面に高い圧力（負荷能力）を発生させる、つまり、回転抵抗の小さい空気などの気体を媒体とした軸受装置として知られている（特許文献１等）。この気体動圧軸受装置としては、例えば、固定部材としてのステータを構成している固定軸の外周面に設けられた動圧面と、回転部材としてのロータを構成している軸受スリーブの動圧面とが、半径方向に狭小隙間を介して面対向するように配置されており、それら両対向動圧面どうしの間の軸受隙間内に潤滑流体として介在された空気が、上記両対向動圧面のうちの少なくとも一方側に形成された動圧発生用手段（図示省略）のポンピング作用によって加圧され、それにより発生した空気動圧力に基づいて、ロータの全体がステータ側に対してラジアル方向に回転支持されるものである。
【０００４】
【特許文献１】
特許３１８３６９４号公報（図１）
【特許文献２】
特許３１８４７８７号公報（図１、図５）
【特許文献３】
特開２００２−５１７３号公報（図２）
【０００５】
【発明が解決しようとする課題】
ところで、気体動圧軸受装置は、気体を媒体とするため抵抗が小さい分、動圧発生力が弱く、振動が伴う車載機器やモバイル機器などに用いる装置への適用が難しい。
【０００６】
気体動圧軸受装置の動圧発生力を高めるためには、軸受装置自体を大きくすることが提案されているが、これは軸受装置自体の大型化を招くと共に、この軸受装置を組み込んだ装置も大型化することになる。
【０００７】
また、動圧発生面（動圧面）にディンプル加工等の表面処理を施して発生圧力を高める手段があるが、表面処理を施すために大幅なコストアップにつながり、かつ、生産性の低下を招くことにもなる。
【０００８】
また、動圧発生膜（クリアランス）を薄くする手段があるが、部材の要求加工精度があがり、大幅なコストアップにつながる。つまり、クリアランスを例えば数μｍ程度の高精度に設定・維持する必要があることから、表面処理後に高精度な切削加工等による後加工を行う必要がある。その結果、大幅なコストアップにつながり、かつ、生産性の低下を招くことにもなる。
【０００９】
本発明は、前述した問題を解決するためになされたものであって、大型化や大幅なコストアップを招くことなく、動圧発生力を高めることができる密封与圧形気体動圧軸受装置、その装置を用いたハードディスク装置及びリムーバブルハードディスク装置の提供を目的とするものである。
【００１０】
【課題を解決するための手段】
前記の目的を達成するために、本発明の密封与圧形気体動圧軸受装置は、ケース内に固定された固定部材と、その固定部材に回転可能に支持される回転体とを有し、前記固定部材と前記回転体との間の気体に動圧を発生させて回転体を回転させる気体動圧軸受装置であって、前記ケースが、密封ケースであり、該密封ケース内が加圧されているものである。
【００１１】
このようにケースが密封ケースであり、この密封ケース内が加圧されていることにより、動圧発生力を高めることができる。すなわち、通常動圧軸受は、回転することにより周囲の流体を巻き込み、動圧面に高い圧力（負荷能力）を発生させるものであり、例えば、動圧スラスト軸受の場合、負荷能力Ｗは、次式で与えられる。
【００１２】
Ｗ＝ｆ（Ｗ０，Ｐａ，Ｒ１，Ｒ２）
Ｗ０：無次元負荷容量
Ｐａ：周囲の圧力
Ｒ１：軸受半径
Ｒ２：軸受半径
【００１３】
この式から明らかなように、周囲の圧力が高ければ、負荷能力が高くなる。したがって、密封ケース内が加圧されていることにより、負荷能力が高くなり、動圧発生力を高めることができる。
【００１４】
前記密封ケース内の圧力が、２×１０５〜１×１０６Ｎ／ｍ２であることが好ましい。
【００１５】
また、本発明のハードディスク装置は、前記密封与圧形気体動圧軸受装置によって、情報信号等の記録再生を行うディスク状の記録媒体が回転可能に支持されているものである。
【００１６】
このように、動圧発生力が高い密封与圧形気体動圧軸受装置によってディスク状の記録媒体が回転可能に支持されているので、高速でかつ安定してディスク状の記録媒体の回転を行うことができるハードディスク装置が得られることになる。
【００１７】
また、本発明のリムーバブルハードディスク装置は、ケース内に固定された固定部材に気体動圧軸受を介して回転可能に支持されていると共に情報信号等の記録再生を行うディスク状の記録媒体が取り付けられている回転体を有するハードディスクと、そのハードディスクが着脱自在に装着され、装着されたハードディスクと電気的に接続されると共にパーソナルコンピューター等に取り付けられる取付体と、からなるリームバブルハードディスク装置であって、前記ケースが、密封ケースであり、前記回転体に、該回転体を回転駆動させるためのマグネットが設けられ、かつ、前記取付体に、所定の電圧が印可されて前記取付体に装着されたハードディスクのマグネットを介して回転体を回転させるモーターコイルを設けたものである。
【００１８】
このように回転体を回転駆動させるマグネットは、ハードディスクに設けられ、モーターコイルは、取付体に設けられることにより、ハードディスクはモーターコイルを内蔵しないので、ハードディスクのコストを大幅に下げることが可能となる。また、ハードディスクは、ケースが密封ケースであると共に、気体動圧軸受装置によってディスク状の記録媒体が取り付けられた回転体が回転可能に支持されているので、高速でかつ安定してディスク状の記録媒体の回転を行うことができる。また、ハードディスクは、モーターコイルを内蔵しないため、密封ケースにモーターコイルを駆動させるための電源コネクタを設ける必要がないので、密封性を高められる。したがって、低コストで、しかも、安定した高速回転可能なリムーバブルハードディスク装置が得られることになる。
【００１９】
前記密封ケース内が加圧され、この密封ケースの一部に、円柱状の凹部が設けられ、該凹部の内壁近傍に、その周方向に沿って前記マグネットが配設され、かつ、前記取付体に、前記凹部に嵌合されると共に前記モーターコイルが配設されている凸部が設けられていることが好ましい。
【００２０】
このように、密封ケースと取付体とが嵌合する凹部と凸部とにそれぞれマグネットとモーターコイルとが配設されていることにより、マグネットとモーターコイルとの位置決めが確実に行われるので、回転体の回転駆動を確実に行うことができる。
【００２１】
【発明の実施の形態】
以下、本発明の実施の形態を添付図面に基づいて詳述する。
【００２２】
図１乃至図３は本発明のリムーバブルハードディスク装置の一例を示す図である。このリムーバブルハードディスク装置は、図１乃至図３に示すように、ケース１内に固定された固定部材２に気体動圧軸受３を介して回転可能に支持されていると共に情報信号等の記録再生を行うディスク状の記録媒体４が取り付けられている回転体５を有するハードディスク６と、そのハードディスク６が着脱自在に装着され、装着されたハードディスク６と電気的に接続されると共にパーソナルコンピューター等に取り付けられる取付体７とからなるものである。
【００２３】
このハードディスク６は、図１乃至図４に示すように、本発明の密封与圧形気体動圧軸受装置の一例であると共に、本発明のハードディスク装置の一例でもある。つまり、ハードディスク６は、ハードディスク６の外殻であるケースが密封ケース１によって形成され、この密封ケース１内が所定の圧力に加圧されているものである。
【００２４】
密封ケース１（ハードディスク６）の形状は、特に限定されず、断面矩形、円形、楕円形、多角形等の箱状、図示例では断面が径の異なる２つの円を接線で結んだ楕円形状に近い変則楕円形状の箱状に形成されている。具体的には、密封ケース１は、変則楕円形状の箱状に形成され、その径が大きい部分は、後述するように磁気ディスク（ディスク状の記録媒体）４が収容される部分であり、磁気ディスク４の径より所定の寸法長い径に形成されていると共に、径が小さい部分は回動型アクチュエータ８が収容される部分である。
【００２５】
密封ケース１の低面の大径側の中心部には、その軸方向に沿って円柱状に密封ケース１の内部方向に沿って窪んだ凹部１０が形成されている。この窪んだ部分の中央部には、電源コネクタ及びインターフェイスコネクタのコネクタ部１１が設けられている。
【００２６】
密封ケース１の凹部１０の内壁（密封ケースの内面においては凸部の先端面）には、その軸方向に沿って固定部材である円筒状の固定軸２が固定されている。固定軸２の外周面が動圧面として形成されている。固定軸２の動圧面は、一般に知られている気体動圧軸受の固定側の動圧面に用いられる材料やその表面処理等によって形成されるものであり、特に限定されるものではない。なお、後述の回転体５の動圧面も、固定軸２の動圧面と同様に一般に知られている気体動圧軸受の回転側の動圧面に用いられる材料やその表面処理等によって形成されるものであり、特に限定されるものではない。
【００２７】
固定軸２の外周には、その外周を囲繞するように回転体５が設けられている。回転体５は、固定軸２の外周を囲繞すると共に、密封ケース内の凹部を形成する内周面を囲繞するほぼ円筒状に形成されている。
【００２８】
回転体５の固定軸２の外周面と対向する内周面が動圧面として形成され、この動圧面と固定軸２の動圧面とが同軸上であって所定の間隔を隔てて配置されて気体動圧軸受（気体動圧軸受装置）３として構成され、これら固定軸２の動圧面と固定軸２の動圧面との間の気体に動圧を発生させて回転体５を回転させるようになっている。なお、固定軸２の動圧面の径及び回転体５の動圧面の径は、気体動圧軸受（気体動圧軸受装置）３として形成される範囲から任意に選択されるものである。
【００２９】
回転体５の動圧面に対向する外周面には、ディスク状の記録媒体４が取り付けられている。ディスク状の記録媒体４は、情報信号等の記録再生を繰り返し行えるもので、例えば、一般に知られているハードディスクに用いられている円盤状の磁気ディスク４である。この磁気ディスク４が１枚又は２枚以上図示例では２枚、その軸方向に所定の間隔を隔てて同軸上に回転体５に取り付けられている。
【００３０】
また、密封ケース１の主に小径部（径が小さい部分）内には、回動型アクチュエータ８が配設されている。回動型アクチュエータ８は、先端部に磁気ヘッド（図示せず）を有するアーム１２が磁気ディスク４ごとに設けられ、所望の磁気ディスク４の所定の箇所に特定のアーム１２を駆動させてからそのアーム１２の磁気ヘッドを介して、磁気ディスク４に情報信号等を記録させたり、磁気ディスク４に記録されている情報信号等を読み込んだりするものである。回動型アクチュエータ８は、コード１３を介してコネクタ部１１に接続され、このコネクタ部１１からの電源により駆動可能（ＯＮ）となり、コネクタ部１１からの電気信号等により駆動されるようになっている。
【００３１】
また、回転体５の密封ケース１内の凹部１０を形成する内周面を囲繞する内周面には、その周方向に沿ってマグネット１４が設けられている。このマグネット１４は、回転体５を回転駆動させる回転装置の一構成要素であり、凹部１０（密封ケース１）の内壁との間に所定の間隔（クリアランス）を隔てて配設されている。つまり、マグネット１４は、密封ケースに非接触に配設されている。
【００３２】
また、回転体５は、密封ケース１との間にも所定の間隔（クリアランス）が設けられるように形成されている。密封ケース１の下面の１又は複数の箇所（図示例では２箇所）には、その面に対して直交する方向に沿って延在する棒状の着脱部材１５が設けられている。
【００３３】
密封ケース１は、内部が加圧状態で密封されるケースであり、どのように形成してもよく、例えば、ベースケース１６とカバー１７とからなり、これらベースケース１６とカバー１７との繋ぎ目を折り曲げて一体化した密封ケース１等が例示される。
【００３４】
すなわち、密封ケース１は、ベースケース１６とカバー１７とからなる。ベースケース１６及びカバー１７は、折り曲げ可能で変形し難い非磁性材料により形成されていることが好ましい。ベースケース１６の厚さは、密封ケース１内にディスク状の記録媒体である磁気ディスク４等が収容されていると共に密封ケース１内が加圧されている状態で変形しない厚さの範囲から任意に選択される。カバー１７の厚さは、密封ケース１内が加圧されたとき変形しないような厚さの範囲から任意に選択され、図示するように、ベースケース１６より薄く形成してもよい。
【００３５】
ベースケース１６は、例えば、断面が径の異なる２つの円を接線で結んだ楕円形状に近い形状の板状であって、その周端部がほぼ９０°に折り曲げられた形状に形成されている。
【００３６】
カバー１７は、ベースケース１６の端部の長さが長い断面ほぼコ字状に形成されている。
【００３７】
これらベースケース１６とカバー１７とを繋ぎ合わせて密封ケース１にするには、どのように行ってもよく、例えば、ベースケース１６の端部の先端部をさらに外側にほぼ９０°に折り曲げ、この折り曲げた部分の両面にカバー１７の端部をつき合わせて、折り曲げた部分の両面をカバー１７の端部で覆う。この部分を加締めてから図５に示すようにベースケース１６側に折り曲げてベースケース１６の外壁面に接触させて、密封ケース１を形成するようにしてもよい。
【００３８】
密封ケース１内を加圧する加圧手段としては、特に限定されず、例えば、図４に示すように、ベースケース１６の一部にガス注入孔１８を設け、このガス注入孔１８から窒素などの不活性ガス等を注入して密封ケース１内を所定の圧力に加圧するようにしてもよい。密封ケース１内を所定の圧力にした後に、ガス注入孔１８を溶接等により閉塞させるようにすることにより、内部が加圧された密封ケース１が得られる。
【００３９】
密封ケース１内の圧力は、特に限定されないが、密封ケース１内に収容されている機器等に影響を及ぼすことがない範囲から選択され、例えば、２×１０５〜１×１０６Ｎ／ｍ２であることが好ましく、特に５×１０５〜８×１０５Ｎ／ｍ２であることが好ましい。密封ケース内の圧力は、２×１０５Ｎ／ｍ２未満であると、負荷能力を高める効果があまり期待できず、一方、１×１０６Ｎ／ｍ２を超えると、密封ケース１内に配設されている例えば回動型アクチュエータ８に影響を及ぼすこともあり得る可能性があるので、好ましくない。
【００４０】
取付体７は、例えばパーソナルコンピューター（ＰＣ）等にネジ等により着脱自在に取り付けられるものである。取付体７は、例えば箱状に形成され、この一面である上面には、図１乃至図３に示すように、前記のハードディスク６が装着される装着凹部２０が設けられている。装着凹部２０は、ハードディスク６を嵌合して収容するような大きさに形成されている。
【００４１】
装着凹部２０の底面には、装着凹部２０にハードディスク６が装着されて収容されるとき、ハードディスク６の着脱部材１５が挿入される着脱穴２１が設けられている。この着脱孔２１及び取付体７には、装着凹部２０にハードディスク６が装着されて収容されたとき、着脱部材１５を係止すると共に、図３に示すように、その係止された着脱部材１５を挿入方向とは反対方向に移動させて、ハードディスク６を装着凹部２０から取り出せるようにする着脱装置（図示せず）が設けられている。
【００４２】
なお、ハードディスク６の取付体７への着脱は、着脱装置によらず、他の装置例えば着脱部材１５を介してハードディスク６を昇降させる昇降装置等によって行うようにしてもよい。
【００４３】
また、装着凹部２０のハードディスク６の凹部１０に対向する箇所には、図１及び図３に示すように、凹部１０に嵌合する凸部２２が設けられている。
【００４４】
凸部２２の先端面には、装着凹部２０にハードディスク６が装着されて収容されたとき、ハードディスク６の凹部１０のコネクタ部１１に電気的に接続されるコネクタ２３が設けられている。このコネクタ２３は、例えばＰＣの電源部や電気信号等のコネクタに電気的に接続されている。このコネクタ２３及びハードディスク６のコネクタ部１１は、どのようなコネクタでもよく、例えば、ＵＳＢ（Ｕｎｉｖｅｒｓａｌ  Ｓｅｒｉａｌ  Ｂｕｓ）でもＩＥＥＥ１３９４でもその他のコネクタでもよい。
【００４５】
また、凸部２２の外側面には、例えばＰＣから所定の電圧が印加されるモーターコイル２４がその周方向に沿って設けられている。モータコイル２４は、図１及び図６に示すように、装着凹部２０にハードディスク６が収容されてハードディスク６の凹部１０に凸部２２が嵌合されたとき、密封ケース１内のマグネット１４と対向するように配設され、所定の電圧が印可されると、マグネット１４を介して回転体５を回転させるものである。つまり、モーターコイル２４とマグネット１４とにより回転体５を回転駆動する回転装置を構成している。この回転装置は例えばスピンドルモータである。
【００４６】
さて、このリムーバブルハードディスク装置を例えばＰＣに使用するには、例えば、取付体７をＰＣに例えばネジ止めして取り付けると共に、ＰＣと電気的に接続させる。この取付体７にハードディスク６を装着するには、密封ケース１内が所定の圧力に加圧されているハードディスク６をその底面（ベースケース１６）から装着凹部２０内に入れる。このとき、ハードディスク６の着脱部材１５をそれぞれ着脱穴２１内に挿入させる。
【００４７】
図１及び図２に示すように、ハードディスク６が完全に装着凹部２０内に入れられて（装着されて）収容されると、着脱部材１５が係止される。
【００４８】
ハードディスク６が装着凹部２０内に収容されると、ハードディスク６のコネクタ部１１と取付体７のコネクタ２３とが電気的に接続される。つまり、ハードディスク６とＰＣとが電気的に接続されることになる。
【００４９】
そのＰＣの電源がオンになると、モーターコイル２４に所定の電圧が印可されて、マグネット１４を介して回転体５が固定軸２を軸に回転駆動される。つまり、回転体５の動圧面と固定軸２の動圧面との間の気体に動圧が発生して（気体動圧軸受３を介して）回転体５は固定軸２に回転支持されている。
【００５０】
このとき、ハードディスク６のケースが密封ケース１であり、この密封ケース１内が加圧されているので、動圧発生力を高めることができる。すなわち、通常動圧軸受は、回転することにより周囲の流体を巻き込み、動圧面に高い圧力（負荷能力）を発生させるものであり、例えば、動圧スラスト軸受の場合、負荷能力Ｗは、次式で与えられる。
【００５１】
Ｗ＝ｆ（Ｗ０，Ｐａ，Ｒ１，Ｒ２）
Ｗ０：無次元負荷容量
Ｐａ：周囲の圧力
Ｒ１：軸受半径
Ｒ２：軸受半径
【００５２】
この式から明らかなように、周囲の圧力が高ければ、負荷能力が高くなる。したがって、密封ケース１内が加圧されていることにより、負荷能力が高くなり、動圧発生力を高めることができる。
【００５３】
また、密封ケース１とマグネット１４とが非接触であると、回転体５は、マグネット１４が密封ケース１に接触することなく回転するので、回転性能を損なうことがない。
【００５４】
また、密封ケース１が非磁性体材料により形成されていると、回転体５を回転駆動させるモーターの性能（特にパワー）を損なうことなく、回転体５を回転させることができる。
【００５５】
回転体５（磁気ディスク４）が回転されているとき、ＰＣからの電気信号がコネクタ２３、コネクタ部１１を介して回動型アクチュエータ８に入力されると、回動型アクチュエータ８はその電気信号に基づき駆動される。例えば、特定のアーム１２を駆動させて、そのアーム１２の磁気ヘッドを磁気ディスク４の所定の箇所に位置させ、磁気ディスク４に情報信号等を記録したり、磁気ディスク４に記録された情報信号等が読み込まれたりする。
【００５６】
このように、本発明のハードディスク装置（ハードディスク６）は、動圧発生力が高い密封与圧形気体動圧軸受装置によってディスク状の記録媒体４が回転可能に支持されているので、高速でかつ安定してディスク状の記録媒体４の回転を行うことができるものである。
【００５７】
この装着凹部２０内に収容されたハードディスク６を取り出すには、着脱装置を駆動させる。すると、着脱部材１５が着脱装置によって着脱孔２１内を挿入方向とは反対方向に沿って移動して、ハードディスク６が装着凹部２０から取り出せる状態になる。このハードディスク６を取り出し、別のハードディスクを装着凹部２０に装着することにより、別のハードディスクも前述と同様に使用することができる。よって、ハードディスク６の交換が簡便に行える。
【００５８】
この別のハードディスク及び元のハードディスク６には、回転体５を回転駆動させるマグネット１４は内蔵されているが、モーターコイル２４は取付体７に設けられて内蔵していないので、ハードディスク６のコストを大幅に下げることが可能となる。
【００５９】
したがって、本発明のリムーバブルハードディスク装置は、低コストで、しかも、安定した高速回転可能なものであり、しかも、ハードディスク６の交換が簡便に行えるものでもある。
【００６０】
また、本発明のリムーバブルハードディスク装置は、モーターコイル２４をハードディスク６に内蔵させずに取付体７に設けたので、ハードディスク６の密封性を高められる。すなわち、ハードディスクがモーターコイルを内蔵すると、ハードディスクの密封ケースには、モーターコイルを駆動させるための電源コネクタをコネクタ部１１に設けなければならないが、本発明のリムーバブルハードディスク装置のようにハードディスク６がモーターコイル２４を内蔵しない場合には、モーターコイル２４を駆動させるための電源コネクタを必要としないので、その分、コネクタ部１１の構造を簡素化することができ、密封ケース１の密封性を高めることができる。よって、本発明のリムーバブルハードディスク装置におけるハードディスク６は、より安定した高速回転可能なものとなる。
【００６１】
また、密封ケース１と取付体７とが嵌合する凹部１０と凸部２２とにそれぞれマグネット１４とモーターコイル２４とを配設することにより、マグネット１４とモーターコイル２４との位置決めが確実に行われるので、回転体５の回転駆動を確実に行うことができる。
【００６２】
なお、密封ケース１の凹部１０の内壁に対向する回転体５にマグネット１４を配設すると共に、取付体７の凸部２２にモーターコイル２４を配設したが、これに限定されるものではない。例えば、密封ケース１に凹部１０を設けることなく、つまり、図７に示すように、ベースケース３０をフラット面に形成して、回転体３１のベースケース３０側をベースケース３０面に沿って延出させ、この延出部３２のベースケース３０側にマグネット３３を設けると共に、取付体３４の装着凹部３５の底面のマグネット３３と対向する箇所にモーターコイル３６を配設して、回転体３１を回転させるようにしてもよい。
【００６３】
【発明の効果】
以上により、気体動圧軸受装置のケースが密封ケースであり、この密封ケース内が加圧されているので、大型化や大幅なコストアップを招くことなく、動圧発生力を高めることができる。
【図面の簡単な説明】
【図１】本発明のリムーバブルハードディスク装置の一例を示す断面図である。
【図２】図１の平面図である。
【図３】本発明のリムーバブルハードディスク装置であって、ハードディスクを取付体から取り出す状態を示す断面図である。
【図４】本発明のリムーバブルハードディスク装置のハードディスクの一例を示す断面図である。
【図５】本発明の密封ケースの密封構造を示す断面図である。
【図６】本発明のマグネットとモーターコイルとの位置関係の一例を示す断面図である。
【図７】本発明のマグネットとモーターコイルとの位置関係の他の例を示す断面図である。
【符号の説明】
１    密封ケース
２    固定軸（固定部材）
３    気体動圧軸受
４    磁気ディスク（記録媒体）
５    回転体
６    ハードディスク
７    取付体
８    回動型アクチュエータ
１０  凹部
１４  マグネット
１６  ベースケース
１７  カバー
２０  装着凹部
２２  凸部
２４  モーターコイル
【図１】
2004308818.tif 000003
【図２】
2004308818.tif 000004
【図３】
2004308818.tif 000005
【図４】
2004308818.tif 000006
【図５】
2004308818.tif 000007
【図６】
2004308818.tif 000008
【図７】
2004308818.tif 000009